(57)【特許請求の範囲】
【請求項１】
スマートカードウェブサーバ（ＳＣＷＳ；Ｓｍａｒｔ  Ｃａｒｄ  Ｗｅｂ  Ｓｅｒｖｅｒ）機能を支援するスマートカードとの連動を通して個人化広告を提供するユーザー端末機において、
メッセージング（Ｍｅｓｓａｇｉｎｇ）サービスの受信によって前記スマートカードに個人化広告を要求し、前記個人化広告の要求に応じて前記スマートカードから受信される広告コンテンツに対するリンク情報（ＵＲＬ）を基に広告コンテンツに対するダウンロードを要求するメッセージ処理部；及び、
前記メッセージ処理部の要求に応じて、前記広告コンテンツリンク情報を基にリンクされた広告コンテンツをダウンロードしてディスプレイするブラウザ；を含み、
前記スマートカードは、前記スマートカードウェブサーバと汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を含み、
個人化情報は、前記スマートカードにより、前記スマートカードウェブサーバ機能を基に保存されたユーザー入力情報及びユーザー要求サイト接続履歴情報と、前記汎用加入者識別モジュールを基に保存された前記ユーザー端末機を通した通話履歴情報とに基づいて、取り出される
ことを特徴とするユーザー端末機。
【請求項２】
前記メッセージ処理部は、
ショートメッセージ（ＳＭＳ）又はマルチメディアメッセージ（ＭＭＳ）を含む前記メッセージングサービスの受信によって前記スマートカードに個人化広告を要求することを特徴とする請求項１に記載のユーザー端末機。
【請求項３】
前記メッセージ処理部は、
移動通信網を介して受信されるメッセージングサービス画面に前記広告コンテンツリンク情報を含めてディスプレイし、前記メッセージングサービス画面を基にユーザーの広告コンテンツ受信意思が受信される場合、前記広告コンテンツのダウンロードを要求することを特徴とする請求項１に記載のユーザー端末機。
【請求項４】
前記ブラウザは、
前記広告コンテンツリンク情報を基に前記スマートカードに内蔵されたスマートカードウェブサーバに接続して前記広告コンテンツをダウンロードすることを特徴とする請求項１に記載のユーザー端末機。 
【請求項５】
前記ブラウザは、
前記広告コンテンツの内蔵のためのスマートカードの要求に応じてコンテンツ提供者によってアップデートされた広告コンテンツに対するダウンロードサービスを提供する広告提供サーバに接続して前記広告コンテンツをダウンロードすることを特徴とする請求項１に記載のユーザー端末機。
【請求項６】
スマートカードウェブサーバ（ＳＣＷＳ；Ｓｍａｒｔ  Ｃａｒｄ  Ｗｅｂ  Ｓｅｒｖｅｒ）を基にユーザー端末機と連動して個人化広告を提供するスマートカードにおいて、
前記ユーザー端末機のショートメッセージ（ＳＭＳ）の受信による個人化広告の要求に応じて個人化情報の抽出を要求し、前記抽出された個人化情報に対する照会を通してメタデータ（Ｍｅｔａ  Ｄａｔａ）を抽出して提供し、前記メタデータを基に検索されて受信される広告コンテンツに対するリンク情報（ＵＲＬ）を前記ユーザー端末機に伝達する広告処理部；
スマートカードの運用によって累積及び加工された個人化情報を抽出して保存し、前記広告処理部の個人化情報抽出の要求に応じて前記保存された個人化情報を抽出して前記広告処理部に提供する個人化情報処理部；
前記広告処理部を通して広告提供サーバから提供されるアップデートされた広告コンテンツを保存するコンテンツ保存部；及び、
前記広告処理部から受信される前記メタデータを基に前記コンテンツ保存部に保存された広告コンテンツを検索し、前記検索された広告コンテンツに対するリンク情報（ＵＲＬ）を提供するコンテンツ管理部；を含み、
前記スマートカードは、前記スマートカードウェブサーバと汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を含み、
前記個人化情報は、前記スマートカードにより、スマートカードウェブサーバ機能を基に保存されたユーザー入力情報及びユーザー要求サイト接続履歴情報と、前記汎用加入者識別モジュールを基に保存された前記ユーザー端末機を通した通話履歴情報とに基づいて、取り出される
ことを特徴とするスマートカード。
【請求項７】
前記スマートカードは、
前記ユーザー端末機にマルチメディアメッセージ（ＭＭＳ）の受信を通知するショートメッセージが受信される場合、
マルチメディアメッセージセンタ（ＭＭＳ−Ｃ）から該当マルチメディアメッセージを取得した後、前記広告処理部に個人化広告を要求し、前記広告処理部から受信される前記広告コンテンツに対するリンク情報（ＵＲＬ）を含む前記マルチメディアメッセージを前記ユーザー端末機に伝達するマルチメディアメッセージ処理部を更に含むことを特徴とする請求項６に記載のスマートカード。
【請求項８】
前記個人化情報処理部は、
前記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された前記ユーザー端末機を通した通話履歴情報及び前記ユーザー端末機から受信される基地局情報を含むユーザーデータに対するデータマイニング（Ｍｉｎｉｎｇ）を行って前記個人化情報を抽出することを特徴とする請求項６に記載のスマートカード。
【請求項９】
前記コンテンツ管理部は、
前記広告処理部から受信される前記メタデータを基に前記広告提供サーバ上にアップデートされた広告コンテンツを検索し、前記検索された広告コンテンツに対するリンク情報を提供することを特徴とする請求項６に記載のスマートカード。
【請求項１０】
スマートカードウェブサーバ（ＳＣＷＳ；Ｓｍａｒｔ  Ｃａｒｄ  Ｗｅｂ  Ｓｅｒｖｅｒ）機能を支援するスマートカードとの連動を通して個人化広告を提供するユーザー端末機の動作方法において、
メッセージング（Ｍｅｓｓａｇｉｎｇ）サービスの受信によって前記スマートカードに個人化広告を要求する個人化広告要求ステップ；
前記個人化広告の要求に応じて前記スマートカードから受信される広告コンテンツに対するリンク情報（ＵＲＬ）をディスプレイするリンク情報提供ステップ；
前記メッセージングサービス画面を基にユーザーの広告コンテンツ受信意思が受信される場合、前記広告コンテンツのダウンロードを要求するダウンロード要求ステップ；及び、
前記ダウンロードの要求に応じて、前記広告コンテンツリンク情報を基にリンクされた広告コンテンツをダウンロードしてディスプレイする広告提供ステップ；を含み、
前記スマートカードは、前記スマートカードウェブサーバと汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を含み、
個人化情報は、前記スマートカードにより、前記スマートカードウェブサーバ機能を基に保存されたユーザー入力情報及びユーザー要求サイト接続履歴情報と、前記汎用加入者識別モジュールを基に保存された前記ユーザー端末機を通した通話履歴情報とに基づいて、取り出される
ことを特徴とするユーザー端末機の動作方法。
【請求項１１】
前記個人化広告要求ステップは、
ショートメッセージ（ＳＭＳ）又はマルチメディアメッセージ（ＭＭＳ）を含む前記メッセージングサービスの受信によって前記スマートカードに個人化広告を要求することを特徴とする請求項１０に記載のユーザー端末機の動作方法。
【請求項１２】
前記リンク情報提供ステップは、
移動通信網を介して受信されるメッセージングサービス画面に前記広告コンテンツリンク情報を含めてディスプレイすることを特徴とする請求項１０に記載のユーザー端末機の動作方法。
【請求項１３】
前記広告提供ステップは、
前記広告コンテンツリンク情報を基に前記スマートカードに内蔵されたスマートカードウェブサーバに接続して前記広告コンテンツをダウンロードすることを特徴とする請求項１０に記載のユーザー端末機の動作方法。
【請求項１４】
前記広告提供ステップは、
前記広告コンテンツリンク情報を基にコンテンツ提供者によってアップデートされた広告コンテンツに対するダウンロードサービスを提供する広告提供サーバに接続して前記広告コンテンツをダウンロードすることを特徴とする請求項１０に記載のユーザー端末機の動作方法。
【請求項１５】
スマートカードウェブサーバ（ＳＣＷＳ；Ｓｍａｒｔ  Ｃａｒｄ  Ｗｅｂ  Ｓｅｒｖｅｒ）を基にユーザー端末機と連動して個人化広告を提供するスマートカードの動作方法において、
前記ユーザー端末機のショートメッセージ（ＳＭＳ）の受信による個人化広告要求受信ステップ；
前記個人化広告要求の受信によって個人化情報を抽出する個人化情報抽出ステップ；
前記抽出された個人化情報に対する照会を通してメタデータ（Ｍｅｔａ  Ｄａｔａ）を抽出するメタデータ抽出ステップ；
前記メタデータを基に内蔵された広告コンテンツを検索するコンテンツ検索ステップ；及び、
前記検索された広告コンテンツに対するリンク情報（ＵＲＬ）を提供するリンク情報提供ステップ；を含み、
前記スマートカードは、前記スマートカードウェブサーバと汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を含み、
前記個人化情報は、前記スマートカードにより、スマートカードウェブサーバ機能を基に保存されたユーザー入力情報及びユーザー要求サイト接続履歴情報と、前記汎用加入者識別モジュールを基に保存された前記ユーザー端末機を通した通話履歴情報とに基づいて、取り出される
ことを特徴とするスマートカードの動作方法。
【請求項１６】
前記個人化広告要求受信ステップは、
前記ユーザー端末機にマルチメディアメッセージ（ＭＭＳ）の受信を通知するショートメッセージが受信される場合、マルチメディアメッセージセンタ（ＭＭＳ−Ｃ）から該当マルチメディアメッセージを取得した後、前記広告処理部に個人化広告を要求することを特徴とする請求項１５に記載のスマートカードの動作方法。
【請求項１７】
前記個人化情報抽出ステップは、
前記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された前記ユーザー端末機を通した通話履歴情報及び前記ユーザー端末機から受信される基地局情報を含むユーザーデータを基にデータマイニング（Ｍｉｎｉｎｇ）を行って抽出された個人化情報を抽出することを特徴とする請求項１５に記載のスマートカードの動作方法。
【請求項１８】
前記コンテンツ検索ステップは、
コンテンツ提供者によってアップデートされた広告コンテンツに対するダウンロードサービスを提供する広告提供サーバ上に保存された広告コンテンツを検索することを特徴とする請求項１５に記載のスマートカードの動作方法。
【請求項１９】
前記リンク情報提供ステップは、
前記広告処理部から受信される前記広告コンテンツに対するリンク情報（ＵＲＬ）を含む前記マルチメディアメッセージを前記ユーザー端末機に伝達することを特徴とする請求項１６に記載のスマートカードの動作方法。
【請求項２０】
請求項１０乃至１９のうちの何れか一項の方法を行う命令を含むプログラムを記憶したコンピュータ読込み可能媒体。
【発明の詳細な説明】
【技術分野】
【０００１】
本発明は、スマートカードを基とした広告サービスに関し、より詳しくは、スマートカードウェブサーバ（ＳＣＷＳ；Ｓｍａｒｔ  Ｃａｒｄ  Ｗｅｂ  Ｓｅｒｖｅｒ）の連動によりスマートカード上に蓄積された個人情報を活用して個人別のメッセージング（Ｍｅｓｓａｇｉｎｇ）広告サービスを提供するスマートカードを基とした広告サービスシステム及びその方法、並びにこれに適用されるスマートカードに関する。
【背景技術】
【０００２】
これまでの携帯電話媒体を通した広告サービスは、スパム（Ｓｐａｍ）又は特定企業のプッシュ（Ｐｕｓｈ）型広告サービスで、ユーザーの意思を問わず一方的に受信されるものが大部分であった。
【０００３】
即ち、望まないメッセージを受信することでユーザーが不快を感じ得るのはもちろん、個人にとって有用ではない無意味な情報が大部分であることから、これを受信するユーザーは該当広告に関心を持たず、広告に対する消費者の能動的な接近も難しい状況である。
【０００４】
更に、上述の通り、何らの関心、理由、目的も誘導できない一方的な広告による費用の損失も相当である。
【発明の概要】
【発明が解決しようとする課題】
【０００５】
本発明は、上記のように先行技術に内在されていた問題点を解決するために創作されたものであり、その目的は、スマートカードが支援するスマートカードウェブサーバ（ＳＣＷＳ；Ｓｍａｒｔ  Ｃａｒｄ  Ｗｅｂ  Ｓｅｒｖｅｒ）機能及び汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に個人情報を取得し、これを基とするメッセージング（Ｍｅｓｓａｇｉｎｇ）広告サービスを具現するスマートカードを基とした広告サービスシステム及びその方法、並びにこれに適用されるスマートカードを提供することにある。
【課題を解決するための手段】
【０００６】
上記の目的を達成するための本発明の一形態によって、スマートカードを基とした広告サービスシステムが提供され：このシステムは、メッセージング（Ｍｅｓｓａｇｉｎｇ）サービスの受信によって個人化広告を要求し、上記個人化広告の要求に応じて上記スマートカードから受信される広告コンテンツに対するリンク情報（ＵＲＬ）を基にリンクされた広告コンテンツをダウンロードするユーザー端末機；及び、上記ユーザー端末機の個人化広告の要求に応じて、スマートカードの運用により累積及び加工された個人化情報を照会してメタデータ（Ｍｅｔａ  Ｄａｔａ）を抽出し、上記抽出されたメタデータを基に内蔵された広告コンテンツを検索し、検索された広告コンテンツに対するリンク情報を提供するスマートカード；を含むことを特徴とする。
【０００７】
望ましくは、上記システムは、コンテンツ提供者から提供される一つ以上の広告コンテンツを保存し、上記広告コンテンツの内蔵のためのスマートカードの要求に応じて上記保存された広告コンテンツに対するダウンロードサービスを提供する広告提供サーバを更に含むことを特徴とする。
【０００８】
望ましくは、上記ユーザー端末機は、ショートメッセージ（ＳＭＳ）又はマルチメディアメッセージ（ＭＭＳ）を含む上記メッセージングサービスの受信によって上記スマートカードに個人化広告を要求することを特徴とする。
【０００９】
望ましくは、上記ユーザー端末機は、上記広告コンテンツに対するリンク情報を基に上記スマートカードに内蔵されたスマートカードウェブサーバ（ＳＣＷＳ；Ｓｍａｒｔ  Ｃａｒｄ  Ｗｅｂ  Ｓｅｒｖｅｒ）又は上記広告提供サーバに接続して上記広告コンテンツをダウンロードすることを特徴とする。
【００１０】
本発明の他の一形態によって、スマートカードウェブサーバ（ＳＣＷＳ；Ｓｍａｒｔ  Ｃａｒｄ  Ｗｅｂ  Ｓｅｒｖｅｒ）機能を支援するスマートカードとの連動を通して個人化広告を提供するユーザー端末機が提供され：上記端末機は、メッセージング（Ｍｅｓｓａｇｉｎｇ）サービスの受信によって上記スマートカードに個人化広告を要求し、上記個人化広告の要求に応じて上記スマートカードから受信される広告コンテンツに対するリンク情報（ＵＲＬ）を基に広告コンテンツに対するダウンロードを要求するメッセージ処理部；及び、上記メッセージ処理部の要求に応じて、上記広告コンテンツリンク情報を基にリンクされた広告コンテンツをダウンロードしてディスプレイするブラウザ；を含むことを特徴とする。
【００１１】
望ましくは、上記メッセージ処理部は、ショートメッセージ（ＳＭＳ）又はマルチメディアメッセージ（ＭＭＳ）を含む上記メッセージングサービスの受信によって上記スマートカードに個人化広告を要求することを特徴とする。
【００１２】
望ましくは、上記メッセージ処理部は、上記移動通信網を介して受信されるメッセージングサービス画面に上記広告コンテンツリンク情報を含めてディスプレイし、上記メッセージングサービス画面を基にユーザーの広告コンテンツ受信意思が受信される場合、上記広告コンテンツのダウンロードを要求することを特徴とする。
【００１３】
望ましくは、上記ブラウザは、上記広告コンテンツリンク情報を基に上記スマートカードに内蔵されたスマートカードウェブサーバに接続して上記広告コンテンツをダウンロードすることを特徴とする。
【００１４】
望ましくは、上記ブラウザは、上記広告コンテンツの内蔵のためのスマートカードの要求に応じてコンテンツ提供者によりアップデートされた広告コンテンツに対するダウンロードサービスを提供する広告提供サーバに接続して上記広告コンテンツをダウンロードすることを特徴とする。
【００１５】
本発明のさらに他の一形態によって、スマートカードウェブサーバ（ＳＣＷＳ；Ｓｍａｒｔ  Ｃａｒｄ  Ｗｅｂ  Ｓｅｒｖｅｒ）を基にユーザー端末機と連動して個人化広告を提供するスマートカードが提供され：このスマートカードは、上記ユーザー端末機のショートメッセージ（ＳＭＳ）の受信による個人化広告の要求に応じて個人化情報の抽出を要求し、上記抽出された個人化情報に対する照会を通してメタデータ（Ｍｅｔａ  Ｄａｔａ）を抽出して提供し、上記メタデータを基に検索されて受信される広告コンテンツに対するリンク情報（ＵＲＬ）を上記ユーザー端末機に伝達する広告処理部；スマートカードの運用によって累積及び加工された個人化情報を抽出して保存し、上記広告処理部の個人化情報抽出の要求に応じて上記保存された個人化情報を抽出し上記広告処理部に提供する個人化情報処理部；上記広告処理部を通して広告提供サーバから提供されるアップデートされた広告コンテンツを保存するコンテンツ保存部；及び、上記広告処理部から受信される上記メタデータを基に上記コンテンツ保存部に保存された広告コンテンツを検索し、上記検索された広告コンテンツに対するリンク情報（ＵＲＬ）を提供するコンテンツ管理部；を含むことを特徴とする。
【００１６】
望ましくは、上記スマートカードは、上記ユーザー端末機にマルチメディアメッセージ（ＭＭＳ）の受信を通知するショートメッセージが受信される場合、マルチメディアメッセージセンタ（ＭＭＳ−Ｃ）から該当マルチメディアメッセージを取得した後、上記広告処理部に個人化広告を要求し、上記広告処理部から受信される上記広告コンテンツに対するリンク情報（ＵＲＬ）を含む上記マルチメディアメッセージを上記ユーザー端末機に伝達するマルチメディアメッセージ処理部を更に含むことを特徴とする。
【００１７】
望ましくは、個人化情報処理部は、上記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された上記ユーザー端末機を通した通話履歴情報及び上記ユーザー端末機から受信される基地局情報を含むユーザーデータに対するデータマイニング（Ｍｉｎｉｎｇ）を行って上記個人化情報を抽出することを特徴とする。
【００１８】
望ましくは、上記コンテンツ管理部は、上記広告処理部から受信される上記メタデータを基に上記広告提供サーバ上にアップデートされた広告コンテンツを検索し、上記検索された広告コンテンツに対するリンク情報を提供することを特徴とする。
【００１９】
本発明の他の一形態によって、スマートカードを基とした広告サービス方法が提供され：この方法は、ユーザー端末機が移動通信網を介したメッセージング（Ｍｅｓｓａｇｉｎｇ）サービスの受信によって上記スマートカードに個人化広告を要求する個人化広告要求ステップ；上記ユーザー端末機の個人化広告の要求に応じて、スマートカードの運用により累積及び加工された個人化情報を照会してメタデータ（Ｍｅｔａ  Ｄａｔａ）を抽出するメタデータ抽出ステップ；上記スマートカードが上記抽出されたメタデータを基に内蔵された広告コンテンツを検索し、上記検索された広告コンテンツに対するリンク情報（ＵＲＬ）を提供するリンク情報提供ステップ；及び、上記ユーザー端末機が上記スマートカードから受信される広告コンテンツに対するリンク情報（ＵＲＬ）を基にリンクされた広告コンテンツをダウンロードしてディスプレイする広告提供ステップ；を含むことを特徴とする。
【００２０】
望ましくは、上記個人化広告要求ステップは、ショートメッセージ（ＳＭＳ）又はマルチメディアメッセージ（ＭＭＳ）を含む上記メッセージングサービスの受信によって上記スマートカードに個人化広告を要求することを特徴とする。
【００２１】
望ましくは、上記広告提供ステップは、上記広告コンテンツリンク情報を基に上記スマートカードに内蔵されたスマートカードウェブサーバ（ＳＣＷＳ；Ｓｍａｒｔ  Ｃａｒｄ  Ｗｅｂ  Ｓｅｒｖｅｒ）、又はコンテンツ提供者によってアップデートされた広告コンテンツに対するダウンロードサービスを提供する広告提供サーバに接続してリンクされた広告コンテンツをダウンロードすることを特徴とする。
【００２２】
本発明の他の一形態によって、スマートカードウェブサーバ（ＳＣＷＳ；Ｓｍａｒｔ  Ｃａｒｄ  Ｗｅｂ  Ｓｅｒｖｅｒ）機能を支援するスマートカードとの連動を通して個人化広告を提供するユーザー端末機の動作方法が提供され：この方法は、メッセージング（Ｍｅｓｓａｇｉｎｇ）サービスの受信によって上記スマートカードに個人化広告を要求する個人化広告要求ステップ；上記個人化広告の要求に応じて上記スマートカードから受信される広告コンテンツに対するリンク情報（ＵＲＬ）をディスプレイするリンク情報提供ステップ；上記メッセージングサービス画面を基にユーザーの広告コンテンツ受信意思が受信される場合、上記広告コンテンツのダウンロードを要求するダウンロード要求ステップ；及び、上記ダウンロードの要求に応じて、上記広告コンテンツリンク情報を基にリンクされた広告コンテンツをダウンロードしてディスプレイする広告提供ステップ；を含むことを特徴とする。
【００２３】
望ましくは、上記個人化広告要求ステップは、ショートメッセージ（ＳＭＳ）又はマルチメディアメッセージ（ＭＭＳ）を含む上記メッセージングサービスの受信によって上記スマートカードに個人化広告を要求することを特徴とする。
【００２４】
望ましくは、上記リンク情報提供ステップは、上記移動通信網を介して受信されるメッセージングサービス画面に上記広告コンテンツリンク情報を含めてディスプレイすることを特徴とする。
【００２５】
望ましくは、上記広告提供ステップは、上記広告コンテンツリンク情報を基に上記スマートカードに内蔵されたスマートカードウェブサーバに接続して上記広告コンテンツをダウンロードすることを特徴とする。
【００２６】
望ましくは、上記広告提供ステップは、上記広告コンテンツリンク情報を基にコンテンツ提供者によってアップデートされた広告コンテンツに対するダウンロードサービスを提供する広告提供サーバに接続して上記広告コンテンツをダウンロードすることを特徴とする。
【００２７】
本発明のまた他の一形態によって、スマートカードウェブサーバ（ＳＣＷＳ；Ｓｍａｒｔ  Ｃａｒｄ  Ｗｅｂ  Ｓｅｒｖｅｒ）を基にユーザー端末機と連動して個人化広告を提供するスマートカードの動作方法が提供され：この方法は、上記ユーザー端末機のショートメッセージ（ＳＭＳ）の受信による個人化広告要求受信ステップ；上記個人化広告要求の受信によって個人化情報を抽出する個人化情報抽出ステップ；上記抽出された個人化情報に対する照会を通してメタデータ（Ｍｅｔａ  Ｄａｔａ）を抽出するメタデータ抽出ステップ；上記メタデータを基に内蔵された広告コンテンツを検索するコンテンツ検索ステップ；及び、上記検索された広告コンテンツに対するリンク情報（ＵＲＬ）を提供するリンク情報提供ステップ；を含むことを特徴とする。
【００２８】
望ましくは、上記個人化広告要求受信ステップは、上記ユーザー端末機にマルチメディアメッセージ（ＭＭＳ）の受信を通知するショートメッセージが受信される場合、マルチメディアメッセージセンタ（ＭＭＳ−Ｃ）から該当マルチメディアメッセージを取得した後、上記広告処理部に個人化広告を要求することを特徴とする。
【００２９】
望ましくは、上記個人化情報抽出ステップは、上記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された上記ユーザー端末機を通した通話履歴情報及び上記ユーザー端末機から受信される基地局情報を含むユーザーデータを基にデータマイニング（Ｍｉｎｉｎｇ）を行って個人化情報を抽出することを特徴とする。
【００３０】
望ましくは、上記コンテンツ検索ステップは、コンテンツ提供者によってアップデートされた広告コンテンツに対するダウンロードサービスを提供する広告提供サーバ上に保存された広告コンテンツを検索することを特徴とする。
【００３１】
望ましくは、上記リンク情報提供ステップは、上記広告処理部から受信される上記広告コンテンツに対するリンク情報（ＵＲＬ）を含む上記マルチメディアメッセージを上記ユーザー端末機に伝達することを特徴とする。
【発明の効果】
【００３２】
本発明によるスマートカードを基とした広告サービスシステム及びその方法、並びにこれに適用されるスマートカードは、スマートカードに内蔵されたウェブサーバ（ＳＣＷＳ）機能及び汎用加入者識別モジュール（ＵＳＩＭ）を基に個人情報を取得し、これを基とするメッセージング（Ｍｅｓｓａｇｉｎｇ）広告サービスを具現して個人行動様態の分析を通して抽出されるユーザー中心の情報を提供することにより、ユーザーの積極的な関心と参加を誘導できる。
【図面の簡単な説明】
【００３３】
【図１】本発明の実施例によるスマートカードを基とした広告サービスシステムの概略的な構成図である。
【図２】本発明の実施例によるスマートカードのアプリケーション設置環境を説明するための構成図である。
【図３】本発明の実施例によるユーザー端末機の概略的な構成図である。
【図４】本発明の実施例によるスマートカードの概略的な構成図である。
【図５】本発明の実施例によるスマートカードを基とした広告サービスシステムの駆動方法を説明するための順序図である。
【図６】本発明の実施例によるスマートカードを基とした広告サービスシステムの駆動方法を説明するための順序図である。
【図７】本発明の実施例によるユーザー端末機の駆動方法を説明するための順序図である。
【図８】本発明の実施例によるユーザー端末機の駆動方法を説明するための順序図である。
【図９】本発明の実施例によるスマートカードの駆動方法を説明するための順序図である。
【図１０】本発明の実施例によるスマートカードの駆動方法を説明するための順序図である。
【発明を実施するための形態】
【００３４】
以下、添付図面を参照しながら本発明の望ましい実施例について説明する。
【００３５】
図１は、本発明の実施例によるスマートカードを基とした広告サービスシステムの概略的な構成図である。
【００３６】
図１に示したように、上記システムは、ショートメッセージ（ＳＭＳ）を送信するショートメッセージセンタ（ＳＭＳ−Ｃ）１００、マルチメディアメッセージを送信するマルチメディアメッセージセンタ（ＭＭＳ−Ｃ）２００、コンテンツ提供者によってアップデートされた広告コンテンツをスマートカード５００に提供する広告提供サーバ３００、上記ショートメッセージセンタ１００又はマルチメディアメッセージセンタ２００を通したメッセージングサービスの受信によって個人化広告を要求し該当広告をディスプレイするユーザー端末機４００、及び上記ユーザー端末機４００の個人化広告の要求に応じて、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に内蔵されたスマートカードウェブサーバ（ＳＣＷＳ）機能を通して個人化広告を抽出し提供するスマートカード５００を含む構成を有する。
【００３７】
上記広告提供サーバ３００は、コンテンツ提供者によってアップデートされる一つ以上の広告コンテンツを保存し、上記スマートカードウェブサーバ機能を基にする広告コンテンツの内蔵のためのスマートカード５００の要求に応じて上記保存された広告コンテンツに対するダウンロードサービスを提供する。
【００３８】
上記ユーザー端末機４００は、移動通信網を介したメッセージング（Ｍｅｓｓａｇｉｎｇ）サービスの受信、つまり上記ショートメッセージセンタ１００又はマルチメディアメッセージセンタ２００を通したメッセージングサービスの受信によってスマートカード５００に個人化広告を要求する。
【００３９】
また、ユーザー端末機４００は、上記個人化広告の要求に応じて上記スマートカードから受信される広告コンテンツに対するリンク情報（ＵＲＬ）を基にリンクされた広告コンテンツをダウンロードしてディスプレイする。より具体的には、ユーザー端末機４００は、上記移動通信網を介して受信されるメッセージングサービス画面にスマートカード５００から受信される広告コンテンツリンク情報を含めてディスプレイし、上記メッセージングサービス画面を基にユーザーの広告コンテンツ受信意思が受信される場合に上記リンクされた広告コンテンツをダウンロードする。この時、ユーザー端末機４００は、上記広告コンテンツリンク情報を基に上記スマートカード５００に内蔵されたスマートカードウェブサーバ（ＳＣＷＳ；Ｓｍａｒｔ  Ｃａｒｄ  Ｗｅｂ  Ｓｅｒｖｅｒ）に接続したり、上記広告提供サーバ３００に接続したりすることによって、ＨＴＭＬ、イメージファイルなどの所定のファイル形態を有する該当広告コンテンツをダウンロードしてディスプレイする。
【００４０】
上記スマートカード５００は、ユーザー端末機４００の個人化広告の要求に応じて、累積及び加工された個人化情報を照会しメタデータ（Ｍｅｔａ  Ｄａｔａ）を抽出する。より具体的には、スマートカード５００は、上記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された上記ユーザー端末機を通した通話履歴情報及び上記ユーザー端末機から受信される基地局情報を含むユーザーデータを基にデータマイニング（Ｍｉｎｉｎｇ）を行って抽出された個人化情報を保存する。これと関連して、上記ユーザー端末機４００の個人化情報抽出の要求に応じて上記保存された個人化情報を照会しメタデータを抽出する。参考までに、スマートカード５００は、収集されたユーザー情報、つまり、個人の通話履歴、位置履歴、購買履歴、訪問履歴、個人情報などを基にデータマイニングを行なってユーザー別の選好、愛用、関心、性向などを情報化した個人化情報を抽出する。ここで、データマイニングは、ニューラルネットワーク（Ｎｅｕｒａｌ  ｎｅｔｗｏｒｋ）、Ｋ平均クラスタリング（Ｋ−ｍｅａｎｓ  ｃｌｕｓｔｅｒｉｎｇ）及び決定木（Ｄｅｃｉｓｉｏｎ  ｔｒｅｅ）などを含むマイニングメカニズム（Ｍｉｎｉｎｇ  Ｍｅｃｈａｎｉｓｍ）を通して行われることができる。
【００４１】
また、スマートカード５００は、上記抽出されたメタデータを基に広告コンテンツを検索し、上記検索された広告コンテンツに対するリンク情報（ＵＲＬ）をユーザー端末機４００に提供する。より具体的には、スマートカード５００は、上記抽出されたメタデータを基に上記広告提供サーバ３００上にアップデートされた広告コンテンツ又はスマートカードウェブサーバ機能を基にカードに内蔵された広告コンテンツを検索し、上記検索された広告コンテンツに対するリンク情報をユーザー端末機４００に提供する。
【００４２】
即ち、スマートカード５００は、上記ユーザー端末機４００にマルチメディアメッセージ（ＭＭＳ）の受信を通知するショートメッセージが受信される場合、マルチメディアメッセージセンタ２００から該当マルチメディアメッセージを取得した後、個人化広告を抽出する。これと関連してスマートカード５００は、上記個人化広告抽出の結果による広告コンテンツに対するリンク情報（ＵＲＬ）を上記マルチメディアメッセージに含ませて上記ユーザー端末機４００に伝達する。
【００４３】
一方、上述したスマートカード５００の個人化広告提供機能、即ち、内蔵されたスマートカードウェブサーバ（ＳＣＷＳ）機能及び汎用加入者識別モジュール（ＵＳＩＭ）を基に多様な個人情報を取得して個人化情報に適した広告を抽出及び提供する構成の場合、スマートカードウェブサーバ（ＳＣＷＳ）機能を基にアプレット（Ａｐｐｌｅｔ）形態で内蔵された特定アプリケーションの駆動を通して具現可能であろう。
【００４４】
より具体的には、スマートカード５００は、上述した通り、個人化情報の取得を通した上記広告提供機能などを含む多様な形態のアプリケーションをスマートカードウェブサーバ（ＳＣＷＳ）機能に基づいてアプレット（Ａｐｐｌｅｔ）形態で内蔵でき、このような設置環境の一実施例について図２を参照しながら考察すると、次の通りである。
【００４５】
即ち、スマートカード５００に内蔵されたスマートカードウェブサーバ（ＳＣＷＳ；Ｓｍａｒｔ  Ｃａｒｄ  Ｗｅｂ  Ｓｅｒｖｅｒ）機能を基に特定サービスを登録するためには、接続ユーザーからサービス加入要求を受信するアプリケーションサーバ６００；上記アプリケーションサーバ６００からサービス加入要求の伝達を受けスマートカード５００と連動してサービス登録手続を行うサービスゲートウェイ７００；ユーザー端末機４００とインターフェースを形成して上記サービスゲートウェイ７００とユーザー端末機４００との間のインターフェースを中継する遠隔管理サーバ８００；などのような追加構成が要求され得る。
【００４６】
上記アプリケーションサーバ６００は、一つ以上のスマートカードを基としたサービスアプリケーションを内蔵し、例えば、ＨＴＴＰプロトコル（ＸＭＬ  ｏｖｅｒ  ＴＣＰ／ＩＰ）を含む所定のプロトコルを通して接続したユーザーから特定サービスに対する加入要求を受信し、ユーザーの要求に応じた特定サービスを提供するために、ユーザー入力情報を含むサービス加入要求をサービスゲートウェイ７００に送信する。
【００４７】
上記サービスゲートウェイ７００は、アプリケーションサーバ６００から受信される上記サービス加入要求に応じてサービス登録手続を行うために、上記ユーザー入力情報を基にユーザー認証及び上記特定サービスに対するユーザー端末機の支援可否確認を行う。より具体的には、サービスゲートウェイ７００は、加入者情報及びユーザー端末機情報を含むユーザー情報を既に保存しており、上記サービス加入要求に含まれたユーザー入力情報とユーザー情報を基にユーザー認証及び上記特定サービスに対するユーザー端末機の支援可否確認を行う。
【００４８】
また、サービスゲートウェイ７００は、上記スマートカードとのインターフェースを形成して上記特定サービスに対する登録を要求する。より具体的には、サービスゲートウェイ７００は、例えば、有限状態機械（Ｆｉｎｉｔｅ  Ｓｔａｔｅ  Ｍａｃｈｉｎｅ；ＦＳＭ）方式を含む所定の方式を通して上記スマートカード上に上記特定サービスを登録させるためのパラメータを設定する。即ち、サービスゲートウェイ７００は、上記遠隔管理サーバ８００と連動したＯＴＡ（Ｏｖｅｒ−Ｔｈｅ−Ａｉｒ）メッセージを通してスマートカード５００とのセッションを形成し、上記形成されたセッションを通して上記スマートカードウェブサーバ（ＳＣＷＳ）上の指定されたセクタに該当するＵＲＬアドレスを伝達して上記スマートカードとの通信及び認証方式を定義したプロテクション設定値（Ｐｒｏｔｅｃｔｉｏｎ  Ｓｅｔ）を優先的に設定する。ここで、上記プロテクション設定値を通して定義される通信方式は、例えば、ＯＴＡメッセージ及びＴＬＳ（Ｔｒａｎｓｐｏｒｔ  Ｌａｙｅｒ  Ｓｅｃｕｒｉｔｙ）セッション方式が該当し得、上記認証方式の場合、スマートカードウェブサーバ（ＳＣＷＳ）を基にした無線データ送受信に適用される一般的な認証方式が適用される。一方、サービスゲートウェイ７００は、サービス登録過程の一環として、上記スマートカード５００上に上記特定サービスに対するＩＤを生成し、上記生成された特定サービスに対するＩＤと上記ＵＲＬアドレスとをマッピングさせる。更に、サービスゲートウェイ７００は、上記設定されたプロテクション設定値を上記生成されたＩＤに割り当てることによってサービス登録のためのパラメータ設定を完了する。
【００４９】
また、サービスゲートウェイ７００は、上記特定サービスの登録のためのパラメータ設定が完了する場合、上記特定サービスの具現のためのコンテンツを送信する。より具体的には、サービスゲートウェイ７００は、上記パラメータ設定過程を通して設定されたプロテクション設定値による認証方式を基にＯＴＡメッセージ又は上記形成されたセッションを通して上記アプリケーションサーバ６００から既に登録されている特定サービスの具現のためのコンテンツをスマートカード５００上のＵＲＬアドレスに送信する。この時、サービスゲートウェイ７００は、スマートカード５００の性能を考慮して送信対象コンテンツの個数を予め決まった個数に分割して送信することが望ましい。
【００５０】
上述した構成を基に、スマートカード５００は、遠隔管理サーバ８００と連動したＯＴＡ（Ｏｖｅｒ−Ｔｈｅ−Ａｉｒ）メッセージをユーザー端末機４００を通して上記サービスゲートウェイ７００から受信して上記遠隔管理サーバ８００とセッションを形成し、上記形成されたセッションを通したサービスゲートウェイ７００のサービス登録要求に応じて上記特定サービスの登録のためのパラメータを設定する。より具体的には、スマートカード５００は、上記形成されたセッションを通して上記サービスゲートウェイ７００から上記ＵＲＬアドレスを受信して、上記サービスゲートウェイ７００との通信及び認証方式を定義したプロテクション設定値（Ｐｒｏｔｅｃｔｉｏｎ  Ｓｅｔ）を設定する。また、スマートカード５００は、上記特定サービスに対するＩＤを生成し、上記生成された特定サービスに対するＩＤと上記ＵＲＬアドレスとをマッピングさせる。尚、スマートカード５００は、上記設定されたプロテクション設定値を上記生成されたＩＤに割り当てることによってサービスの登録のためのパラメータ設定を完了する。更に、スマートカード５００は、設定されたプロテクション設定値による認証方式を基にＯＴＡメッセージ又は上記形成されたセッションを通してサービスゲートウェイ７００から受信される上記特定サービスの具現のためのコンテンツをスマートカードウェブサーバの該当ＵＲＬアドレスに保存することによって、上記特定サービスの登録を完了する。
【００５１】
以上、考察した通り、本発明によるスマートカードを基とした広告サービスシステムによれば、スマートカード５００に内蔵されたウェブサーバ（ＳＣＷＳ）機能及び汎用加入者識別モジュール（ＵＳＩＭ）を基に個人情報を取得し、これを基とするメッセージング（Ｍｅｓｓａｇｉｎｇ）広告サービスを具現して個人行動様態の分析を通して抽出されるユーザー中心の情報を提供することにより、ユーザーの積極的な関心と参加を誘導できる。
【００５２】
以下、図３乃至図４を参照しながらユーザー端末機４００及びスマートカード５００の具体的な構成を説明する。
【００５３】
まず、図３を参照しながらユーザー端末機４００の構成を考察するに、ユーザー端末機４００は、メッセージ処理部４１０及びブラウザ４２０を含む構成を有する。
【００５４】
上記メッセージ処理部４１０は、移動通信網を介したメッセージング（Ｍｅｓｓａｇｉｎｇ）サービスの受信によって上記スマートカードに個人化広告を要求する。より具体的には、メッセージ処理部４１０は、ショートメッセージセンタ１００からショートメッセージが受信される場合、スマートカード５００に個人化広告を要求する。一方、メッセージ処理部４１０は、マルチメディアメッセージセンタ２００からマルチメディアメッセージが受信されたことを通知するショートメッセージが受信される場合、これをスマートカード５００に通知することによって、スマートカード５００が該当マルチメディアメッセージセンタ２００との接続を通してマルチメディアメッセージを取得できると共に、個人化広告を抽出できるようにする。
【００５５】
また、メッセージ処理部４１０は、上記個人化広告の要求に応じて上記スマートカード５００から受信される広告コンテンツに対するリンク情報（ＵＲＬ）を、上記移動通信網を介して受信されるメッセージングサービス画面、望ましくは、ショートメッセージ上に含ませてディスプレイする。これと関連して、メッセージ処理部４１０は、上記メッセージングサービス画面を基にユーザーの広告コンテンツ受信意思が受信される場合に広告コンテンツのダウンロードをブラウザ４２０に要求する。
【００５６】
上記ブラウザ４２０は、上記メッセージ処理部４１０の要求に応じて、上記広告コンテンツリンク情報を基にリンクされた広告コンテンツをダウンロードしてディスプレイする。より具体的には、ブラウザ４２０は、スマートカード５００から受信された広告コンテンツリンク情報を基に上記スマートカード５００に内蔵されているスマートカードウェブサーバ（ＳＣＷＳ；Ｓｍａｒｔ  Ｃａｒｄ  Ｗｅｂ  Ｓｅｒｖｅｒ）に接続したり、上記広告提供サーバ３００に接続したりすることによって、ＨＴＭＬ、イメージファイルなどの所定のファイル形態を有する該当広告コンテンツをダウンロードしてディスプレイする。
【００５７】
一方、ブラウザ４２０は、マルチメディアメッセージセンタ２００からマルチメディアメッセージが受信される場合、スマートカード５００から受信される広告コンテンツに対するリンク情報（ＵＲＬ）の含まれたマルチメディアメッセージをディスプレイし、上記ディスプレイ画面を基にユーザーの広告コンテンツ受信意思が受信されれば、広告コンテンツを上述のようにダウンロードする。
【００５８】
以上、考察した通り、本発明によるユーザー端末機４００の構成によれば、広告サービスの提供によるコア（Ｃｏｒｅ）機能をスマートカード５００内部で具現させることにより、ユーザー端末機４００は入出力デバイスリソースだけを保有するダミー（Ｄｕｍｍｙ）デバイス形態を有することになるので、端末機開発のための費用を削減できる。
【００５９】
次に、図４を参照しながらスマートカード５００の構成を考察するに、スマートカード５００は、マルチメディアメッセージ処理部５１０、広告処理部５２０、個人化情報処理部５３０、コンテンツ保存部５４０及びコンテンツ管理部５５０を含む構成を有する。
【００６０】
上記マルチメディアメッセージ処理部５１０は、ユーザー端末機４００にマルチメディアメッセージ（ＭＭＳ）の受信を通知するショートメッセージが受信される場合、ユーザー端末機４００の要求に応じてマルチメディアメッセージセンタ２００から該当マルチメディアメッセージを取得した後、上記広告処理部５２０に個人化広告を要求する。これと関連して、マルチメディアメッセージ処理部５１０は、上記広告処理部５２０から受信される上記個人化広告要求の結果である広告コンテンツに対するリンク情報（ＵＲＬ）と共に上記取得されたマルチメディアメッセージをユーザー端末機４００に伝達する。
【００６１】
上記広告処理部５２０は、広告提供サーバ３００から周期的にアップデートされた広告コンテンツをダウンロードしてコンテンツ保存部５４０に保存する。
【００６２】
また、広告処理部５２０は、ショートメッセージ（ＳＭＳ）の受信による上記ユーザー端末機の個人化広告の要求又はマルチメディアメッセージの受信によるマルチメディアメッセージ処理部５１０の個人化広告の要求に応じて、個人化情報の抽出を個人化情報処理部５３０に要求する。これと関連して、広告処理部５２０は、個人化情報処理部５３０から抽出されて送信される個人化情報に対する照会を通してメタデータ（Ｍｅｔａ  Ｄａｔａ）を抽出しコンテンツ管理部５５０に提供する。
【００６３】
上記個人化情報処理部５３０は、上記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された上記ユーザー端末機を通しての通話履歴情報及び上記ユーザー端末機から受信される基地局情報を含むユーザーデータを基にデータマイニング（Ｍｉｎｉｎｇ）を行って抽出された個人化情報を保存する。これと関連して、個人化情報処理部５３０は、広告処理部の個人化情報抽出の要求に応じて上記保存された個人化情報を照会しメタデータを抽出する。参考までに、個人化情報処理部５３０は、収集されたユーザー情報、つまり、個人の通話履歴、位置履歴、購買履歴、訪問履歴、個人情報などを基にデータマイニングを行なってユーザー別の選好、愛用、関心、性向などを情報化した個人化情報を抽出する。ここで、データマイニングは、ニューラルネットワーク（Ｎｅｕｒａｌ  ｎｅｔｗｏｒｋ）、Ｋ平均クラスタリング（Ｋ−ｍｅａｎｓ  ｃｌｕｓｔｅｒｉｎｇ）及び決定木（Ｄｅｃｉｓｉｏｎ  ｔｒｅｅ）などを含むマイニングメカニズム（Ｍｉｎｉｎｇ  Ｍｅｃｈａｎｉｓｍ）を通して行われることができる。
【００６４】
上記コンテンツ保存部５４０は、スマートカードウェブサーバ機能を基に上記広告処理部５２０を通して広告提供サーバ３００からダウンロードされるアップデートされた広告コンテンツを保存する。
【００６５】
上記コンテンツ管理部５５０は、上記広告処理部５２０から受信される上記メタデータを基に上記コンテンツ保存部５４０に保存された広告コンテンツを検索し、上記検索された広告コンテンツに対するリンク情報（ＵＲＬ）を提供する。より具体的には、コンテンツ管理部５５０は、広告処理部５２０から受信されるメタデータを基に上記広告提供サーバ３００上にアップデートされた広告コンテンツ又はスマートカードウェブサーバ機能を基にコンテンツ保存部５４０に保存された広告コンテンツを検索し、上記検索された広告コンテンツに対するリンク情報をユーザー端末機４００に提供する。
【００６６】
以上、考察した通り、本発明によるスマートカード５００の構成によれば、スマートカード５００に内蔵されたウェブサーバ（ＳＣＷＳ）機能及び汎用加入者識別モジュール（ＵＳＩＭ）を基に個人情報を取得することによって、ネットワークサーバと連動しなくてもスマートカード５００内部から多様な個人情報を取得して個人化情報に適した広告を抽出しユーザー端末機４００に提供することができる。
【００６７】
以下、図５乃至図１０を参照しながら本発明の実施例によるスマートカードを基とした広告サービス方法を説明する。ここで、説明の便宜のために、上述した図１乃至図４に示した構成については、該当参照番号を言及して説明することにする。また、本発明によるスマートカードを基とした広告サービスシステムに含まれたそれぞれの構成要素は、移動通信網を介して受信されるメッセージングサービスの種類、望ましくは、ショートメッセージ又はマルチメディアメッセージの受信によって相異なる動作特性を有するため、以下の説明では各動作特性を区分して説明することにする。
【００６８】
まず、図５及び図６を参照しながら本発明の実施例によるスマートカードを基とした広告サービスシステムの駆動方法を説明する。
【００６９】
（１）図５を参照したショートメッセージ（ＳＭＳ）の受信による動作特性
【００７０】
先ず、ユーザー端末機４００が移動通信網を介したショートメッセージ（ＳＭＳ）の受信によって上記スマートカード５００に個人化広告を要求する（Ｓ１０〜Ｓ３０）。望ましくは、ユーザー端末機４００は、移動通信網を介したメッセージング（Ｍｅｓｓａｇｉｎｇ）サービスの受信、つまり上記ショートメッセージセンタ１００からのショートメッセージの受信によってスマートカード５００に個人化広告を要求する。
【００７１】
次に、ユーザー端末機４００の個人化広告の要求に応じてスマートカード５００が、累積及び加工された個人化情報を照会しメタデータ（Ｍｅｔａ  Ｄａｔａ）を抽出する（Ｓ４０〜Ｓ５０）。望ましくは、スマートカード５００は、上記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された上記ユーザー端末機を通した通話履歴情報及び上記ユーザー端末機から受信される基地局情報を含むユーザーデータを基にデータマイニング（Ｍｉｎｉｎｇ）を行って抽出された個人化情報を照会し、照会された個人化情報を基にメタデータを抽出する。
【００７２】
その後、スマートカード５００が上記抽出されたメタデータを基に上記スマートカードウェブサーバ機能を基に内蔵された広告コンテンツを検索し、上記検索された広告コンテンツに対するリンク情報（ＵＲＬ）を提供する（Ｓ６０〜Ｓ７０）。望ましくは、スマートカード５００は、上記抽出されたメタデータを基に上記広告提供サーバ３００上にアップデートされた広告コンテンツ又はスマートカードウェブサーバ機能を基にカードに内蔵された広告コンテンツを検索し、上記検索された広告コンテンツに対するリンク情報をユーザー端末機４００に提供する。
【００７３】
それから、ユーザー端末機４００がスマートカード５００から受信される広告コンテンツに対するリンク情報（ＵＲＬ）を基に広告コンテンツをダウンロードしてディスプレイする（Ｓ８０〜Ｓ１１０）。望ましくは、ユーザー端末機４００は、ショートメッセージセンタ１００から受信されたショートメッセージ上にスマートカード５００から受信される広告コンテンツリンク情報を含めてディスプレイし、上記ディスプレイ画面を基にユーザーの広告コンテンツ受信意思が受信される場合、上記リンクされた広告コンテンツをダウンロードする。この時、ユーザー端末機４００は、上記広告コンテンツリンク情報を基に上記スマートカード５００に内蔵されたスマートカードウェブサーバ（ＳＣＷＳ；Ｓｍａｒｔ  Ｃａｒｄ  Ｗｅｂ  Ｓｅｒｖｅｒ）に接続したり、上記広告提供サーバ３００に接続したりすることによって、ＨＴＭＬ、イメージファイルなどの所定のファイル形態を有する該当広告コンテンツをダウンロードしてディスプレイする。
【００７４】
（２）図６を参照したマルチメディアメッセージ（ＭＭＳ）の受信による動作特性
【００７５】
まず、ユーザー端末機４００が、移動通信網を介してマルチメディアメッセージ（ＭＭＳ）が受信されたことを通知するショートメッセージを受信することにより、マルチメディアメッセージの受信状態をスマートカード５００に通知する（Ｓ２１０〜Ｓ２３０）。望ましくは、ユーザー端末機４００は、マルチメディアメッセージが受信されたことを通知するショートメッセージがマルチメディアメッセージセンタ２００から受信される場合、これをスマートカード５００に知らせる。
【００７６】
その後、ユーザー端末機４００のマルチメディアメッセージ（ＭＭＳ）の受信状態の通知によって、スマートカード５００がマルチメディアメッセージセンタ２００から該当マルチメディアメッセージを取得する（Ｓ２４０〜Ｓ２５０）。
【００７７】
次に、スマートカード５００が、累積及び加工された個人化情報を照会しメタデータ（Ｍｅｔａ  Ｄａｔａ）を抽出する（Ｓ２６０〜Ｓ２７０）。望ましくは、スマートカード５００は、上記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された上記ユーザー端末機を通しての通話履歴情報及び上記ユーザー端末機から受信される基地局情報を含むユーザーデータを基にデータマイニング（Ｍｉｎｉｎｇ）を行って抽出された個人化情報を照会し、照会された個人化情報を基にメタデータを抽出する。
【００７８】
続いて、スマートカード５００が、上記抽出されたメタデータを基に上記スマートカードウェブサーバ機能を基に内蔵された広告コンテンツを検索し、上記検索された広告コンテンツに対するリンク情報（ＵＲＬ）を提供する（Ｓ２８０〜Ｓ２９０）。望ましくは、スマートカード５００は、上記抽出されたメタデータを基に上記広告提供サーバ３００上にアップデートされた広告コンテンツ又はスマートカードウェブサーバ機能を基にカードに内蔵された広告コンテンツを検索し、上記検索された広告コンテンツに対するリンク情報と共に、マルチメディアメッセージセンタ２００から取得されたマルチメディアメッセージをユーザー端末機４００に提供する。
【００７９】
それから、ユーザー端末機４００は、スマートカード５００から受信される広告コンテンツに対するリンク情報（ＵＲＬ）を基に広告コンテンツをダウンロードしてディスプレイする（Ｓ３００〜Ｓ３３０）。望ましくは、ユーザー端末機４００は、スマートカード５００から受信される広告コンテンツに対するリンク情報（ＵＲＬ）が含まれたマルチメディアメッセージをディスプレイし、上記ディスプレイ画面を基にユーザーの広告コンテンツ受信意思が受信される場合、上記リンクされた広告コンテンツをダウンロードする。この時、ユーザー端末機４００は、上記広告コンテンツリンク情報を基に上記スマートカード５００に内蔵されたスマートカードウェブサーバ（ＳＣＷＳ；Ｓｍａｒｔ  Ｃａｒｄ  Ｗｅｂ  Ｓｅｒｖｅｒ）に接続したり、上記広告提供サーバ３００に接続したりすることによって、ＨＴＭＬ、イメージファイルなどの所定のファイル形態を有する該当広告コンテンツをダウンロードしてディスプレイする。
【００８０】
以上、考察した通り、本発明によるスマートカードを基とした広告サービスシステムの駆動方法によれば、スマートカード５００に内蔵されたウェブサーバ（ＳＣＷＳ）機能及び汎用加入者識別モジュール（ＵＳＩＭ）を基に個人情報を取得し、これを基とするメッセージング（Ｍｅｓｓａｇｉｎｇ）広告サービスを具現して個人行動様態の分析を通して抽出されるユーザー中心の情報を提供することにより、ユーザーの積極的な関心と参加を誘導できる。
【００８１】
次に、図７及び図８を参照しながら本発明の実施例によるユーザー端末機の駆動方法を説明する。
【００８２】
（１）図７を参照したショートメッセージ（ＳＭＳ）の受信による動作特性
【００８３】
まず、ユーザー端末機４００が移動通信網を介したショートメッセージ（ＳＭＳ）の受信によって上記スマートカード５００に個人化広告を要求する（Ｓ４１０〜Ｓ４２０；図５の‘Ｓ２０〜Ｓ３０’に対応）。望ましくは、メッセージ処理部４１０が、ショートメッセージセンタ１００からのショートメッセージの受信によってスマートカード５００に個人化広告を要求する。
【００８４】
次に、上記個人化広告の要求に応じて上記スマートカード５００から受信される広告コンテンツに対するリンク情報（ＵＲＬ）をディスプレイする（Ｓ４３０〜Ｓ４４０；図５の‘Ｓ７０〜Ｓ８０’に対応）。望ましくは、メッセージ処理部４１０が、ショートメッセージセンタ１００から受信されたショートメッセージ上にスマートカード５００から受信される広告コンテンツリンク情報を含ませてディスプレイする。
【００８５】
その後、上記ディスプレイ画面を基にユーザーの広告コンテンツ受信意思が受信される場合、上記広告コンテンツのダウンロードを要求する（Ｓ４５０〜Ｓ４６０；図５の‘Ｓ９０’に対応）。望ましくは、メッセージ処理部４１０が、上記ディスプレイ画面を基にユーザーの広告コンテンツ受信意思が受信される場合、ブラウザ４２０に上記広告コンテンツに対するダウンロードを要求する。
【００８６】
それから、上記ダウンロードの要求に応じて、上記広告コンテンツリンク情報を基にリンクされた広告コンテンツをダウンロードしてディスプレイする（Ｓ４７０〜Ｓ４８０；図５の‘Ｓ１００〜Ｓ１１０’に対応）。望ましくは、ブラウザ４２０がスマートカード５００から受信された広告コンテンツリンク情報を基に上記スマートカード５００に内蔵されたスマートカードウェブサーバ（ＳＣＷＳ；Ｓｍａｒｔ  Ｃａｒｄ  Ｗｅｂ  Ｓｅｒｖｅｒ）に接続したり、上記広告提供サーバ３００に接続したりすることによって、ＨＴＭＬ、イメージファイルなどの所定のファイル形態を有する該当広告コンテンツをダウンロードしてディスプレイする。
【００８７】
（２）図８を参照したマルチメディアメッセージ（ＭＭＳ）の受信による動作特性
【００８８】
まず、移動通信網を介してマルチメディアメッセージ（ＭＭＳ）が受信されたことを通知するショートメッセージを受信することにより、マルチメディアメッセージの受信状態をスマートカード５００に通知する（Ｓ５１０〜Ｓ５２０；図６の‘Ｓ２２０〜Ｓ２３０’に対応）。望ましくは、マルチメディアメッセージが受信されたことを通知するショートメッセージがマルチメディアメッセージセンタ２００から受信される場合、メッセージ処理部４１０がこれをスマートカード５００に知らせる。
【００８９】
それから、上記個人化広告の要求に応じて上記スマートカード５００から受信される広告コンテンツに対するリンク情報（ＵＲＬ）をディスプレイする（Ｓ５３０〜Ｓ５５０；図６の‘Ｓ２９０〜Ｓ３００’に対応）。望ましくは、ブラウザ４２０が、スマートカード５００から受信される広告コンテンツに対するリンク情報（ＵＲＬ）の含まれたマルチメディアメッセージをメッセージ処理部４１０を通して受信しディスプレイする。
【００９０】
その後、上記ディスプレイ画面を基にユーザーの広告コンテンツ受信意思が受信される場合、上記広告コンテンツリンク情報を基にリンクされた広告コンテンツをダウンロードしてディスプレイする（Ｓ５６０〜Ｓ５８０；図６の‘Ｓ３１０〜Ｓ３３０’に対応）。望ましくは、ブラウザ４２０が、上記ディスプレイ画面を基にユーザーの広告コンテンツ受信意思が受信される場合、スマートカード５００から受信された広告コンテンツリンク情報を基に上記スマートカード５００に内蔵されたスマートカードウェブサーバ（ＳＣＷＳ；Ｓｍａｒｔ  Ｃａｒｄ  Ｗｅｂ  Ｓｅｒｖｅｒ）に接続したり、上記広告提供サーバ３００に接続したりすることによって、ＨＴＭＬ、イメージファイルなどの所定のファイル形態を有する該当広告コンテンツをダウンロードしてディスプレイする。
【００９１】
以上、考察した通り、本発明によるユーザー端末機４００の駆動方法によれば、広告サービスの提供によるコア（Ｃｏｒｅ）機能をスマートカード５００内部で具現させることによって、ユーザー端末機４００は入出力デバイスリソースだけを保有するダミー（Ｄｕｍｍｙ）デバイス形態を有することになるため、端末機開発のための費用を削減できる。
【００９２】
最後に、図９及び図１０を参照しながら本発明の実施例によるスマートカードの駆動方法を説明する。
【００９３】
（１）図９を参照したショートメッセージ（ＳＭＳ）の受信による動作特性
【００９４】
まず、ユーザー端末機４００からショートメッセージ（ＳＭＳ）の受信による個人化広告の要求を受信する（Ｓ６１０〜Ｓ６２０；図５の‘Ｓ３０’に対応）。望ましくは、広告処理部５２０が、ショートメッセージ（ＳＭＳ）の受信による上記ユーザー端末機４００の個人化広告の要求に応じて個人化情報の抽出を個人化情報処理部５３０に要求する。
【００９５】
次に、個人化広告要求の受信によって個人化情報を照会する（Ｓ６３０〜Ｓ６４０；図５の‘Ｓ４０’に対応）。より具体的には、個人化情報処理部５３０は、上記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された上記ユーザー端末機を通した通話履歴情報及び上記ユーザー端末機から受信される基地局情報を含むユーザーデータを基にデータマイニング（Ｍｉｎｉｎｇ）を行って抽出された個人化情報を照会し、上記照会された個人化情報を広告処理部５２０に提供する。
【００９６】
それから、上記個人化情報に対する照会を通してメタデータ（Ｍｅｔａ  Ｄａｔａ）を抽出する（Ｓ６５０〜Ｓ６６０；図５の‘Ｓ５０’に対応）。望ましくは、広告処理部５２０は、個人化情報処理部５３０から抽出されて送信される個人化情報に対する照会を通してメタデータ（Ｍｅｔａ  Ｄａｔａ）を抽出しコンテンツ管理部５５０に提供する。
【００９７】
その後、上記メタデータを基に保存された広告コンテンツを検索し、上記検索された広告コンテンツに対するリンク情報（ＵＲＬ）を提供する（Ｓ６７０〜Ｓ６９０；図５の‘Ｓ６０〜Ｓ７０’に対応）。より具体的には、コンテンツ管理部５５０は、広告処理部５２０から受信されるメタデータを基に上記広告提供サーバ３００上にアップデートされた広告コンテンツ又はスマートカードウェブサーバ機能を基にコンテンツ保存部５４０に保存された広告コンテンツを検索し、上記検索された広告コンテンツに対するリンク情報をユーザー端末機４００に提供する。
【００９８】
（２）図１０を参照したマルチメディアメッセージ（ＭＭＳ）の受信による動作特性
【００９９】
まず、ユーザー端末機４００からマルチメディアメッセージの受信通知を受信する（Ｓ７１０〜Ｓ７４０；図６の‘Ｓ２３０〜Ｓ２５０’に対応）。望ましくは、上記マルチメディアメッセージ処理部５１０は、ユーザー端末機４００にマルチメディアメッセージ（ＭＭＳ）の受信を通知するショートメッセージが受信される場合、ユーザー端末機４００の要求に応じてマルチメディアメッセージセンタ２００から該当マルチメディアメッセージを取得した後、上記広告処理部５２０に個人化広告を要求する。
【０１００】
次に、個人化広告要求の受信によって個人化情報を抽出する（Ｓ７５０〜Ｓ７６０；図６の‘Ｓ２６０’に対応）。より具体的には、個人化情報処理部５３０は、上記スマートカードウェブサーバ機能を基に保存されたユーザー入力情報及びユーザー要求サイト接続履歴情報と、汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基に保存された上記ユーザー端末機を通した通話履歴情報及び上記ユーザー端末機から受信される基地局情報を含むユーザーデータを基にデータマイニング（Ｍｉｎｉｎｇ）を通して算出された個人化情報を抽出し、上記抽出された個人化情報を広告処理部５２０に提供する。
【０１０１】
それから、上記個人化情報に対する照会を通してメタデータ（Ｍｅｔａ  Ｄａｔａ）を抽出する（Ｓ７７０〜Ｓ７８０；図６の‘Ｓ２７０’に対応）。望ましくは、広告処理部５２０は、個人化情報処理部５３０から抽出されて送信される個人化情報に対する照会を通してメタデータ（Ｍｅｔａ  Ｄａｔａ）を抽出しコンテンツ管理部５５０に提供する。
【０１０２】
その後、上記メタデータを基に保存された広告コンテンツを検索し、上記検索された広告コンテンツに対するリンク情報（ＵＲＬ）を提供する（Ｓ７９０〜Ｓ８２０；図６の‘Ｓ２８０〜Ｓ２９０’に対応）。より具体的には、コンテンツ管理部５５０は、広告処理部５２０から受信されるメタデータを基に上記広告提供サーバ３００上にアップデートされた広告コンテンツ又はスマートカードウェブサーバ機能を基にコンテンツ保存部５４０に保存された広告コンテンツを検索し、上記検索された広告コンテンツに対するリンク情報をマルチメディアメッセージ処理部５１０に提供する。以後、マルチメディアメッセージ処理部５１０は、上記広告処理部５２０から受信される上記個人化広告要求の結果である広告コンテンツに対するリンク情報（ＵＲＬ）と共に、上記マルチメディアメッセージセンタ２００から取得されたマルチメディアメッセージをユーザー端末機４００に伝達する。
【０１０３】
以上、考察した通り、本発明によるスマートカード５００の駆動方法によれば、スマートカード５００に内蔵されたウェブサーバ（ＳＣＷＳ）機能及び汎用加入者識別モジュール（ＵＳＩＭ）を基に個人情報を取得することによって、ネットワークサーバと連動しなくてもスマートカード５００内部で多様な個人情報を取得して個人化情報に適した広告を抽出しユーザー端末機４００に提供することができる。
【０１０４】
一方、ここに提示された実施例と関連して説明された方法又はアルゴリズムのステップは、ハードウェアによって直接具現されたり、プロセッサにより実行されるソフトウェアモジュールによって具現されたり、又はこれらの結合によって具現されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は技術的に公知となった任意の他の形態の保存媒体に位置できる。例示的な保存媒体はプロセッサと連結され、その結果、プロセッサは保存媒体から情報を読み込み保存媒体に情報を記録できる。代案的に、保存媒体はプロセッサに統合されることができる。プロセッサ及び保存媒体はＡＳＩＣ内に含まれることができる。ＡＳＩＣはユーザー端末機内に含まれることができる。代案的に、プロセッサ及び保存媒体はユーザー端末機内に個別的なコンポーネントとして含まれることができる。
【０１０５】
以上、望ましい実施例を参照しながら本発明について詳しく説明したが、本発明は上記の実施例に限定されるものではなく、本発明の属する技術分野についての通常の知識を有する者ならば誰でも、特許請求の範囲にて請求する本発明の要旨を逸脱しない範囲内で多様な変形又は修正が可能であることは勿論、かかる範囲まで本発明の技術的思想が及ぶと言える。
【産業上の利用可能性】
【０１０６】
本発明によるスマートカードを基とした広告サービスシステム及びその方法、並びにこれに適用されるスマートカードは、スマートカードウェブサーバ（ＳＣＷＳ；Ｓｍａｒｔ  Ｃａｒｄ  Ｗｅｂ  Ｓｅｒｖｅｒ）の連動によってスマートカード上に蓄積された個人情報を活用して個人別のメッセージング（Ｍｅｓｓａｇｉｎｇ）広告サービスを提供するという点で既存技術の限界を越えることにより、関連技術に対する利用だけでなく、適用される装置の市販又は営業の可能性が十分にあるばかりか、現実的に明白に実施可能な程度であることから、産業上の利用可能性がある発明である。
【符号の説明】
【０１０７】
１００  ショートメッセージセンタ（ＳＭＳ−Ｃ）
２００  マルチメディアメッセージセンタ（ＭＭＳ−Ｃ）
３００  広告提供サーバ
４００  ユーザー端末機
４１０  メッセージ処理部
４２０  ブラウザ
５００  スマートカード
５１０  マルチメディアメッセージ処理部
５２０  広告処理部
５３０  個人化情報処理部
５４０  コンテンツ保存部
５５０  コンテンツ管理部
６００  アプリケーションサーバ
７００  サービスゲートウェイ
８００  遠隔管理サーバ
【図１】
0005363574.tif 000002
【図２】
0005363574.tif 000003
【図３】
0005363574.tif 000004
【図４】
0005363574.tif 000005
【図５】
0005363574.tif 000006
【図６】
0005363574.tif 000007
【図７】
0005363574.tif 000008
【図８】
0005363574.tif 000009
【図９】
0005363574.tif 000010
【図１０】
0005363574.tif 000011